(57)【要約】【課題】停電時において、使い勝手の良い便器装置を提案する。【解決手段】本発明は、ボウル部を有する便器本体１と、便器本体１の外部に設ける電池９内蔵型の遠隔操作機器８ａとを備え、便器本体１が遠隔操作機器８ａからの指示に応じて封水状態と排水状態とを切り替える便器装置であって、便器本体１は、その内部に設ける内部機器３として、前記封水状態と前記排水状態とに切り替えるトラップ部４と、トラップ部４の駆動部４２に外部電源８の電力を供給する第１給電部６と、電池９が脱着自在でその装着時に電池９の電力を駆動部４２に供給する第２給電部７とを備え、第２給電部７は、遠隔操作機器８ａの電池９（９１）又は電池９（９１）と同形の電池９（９２）が脱着自在なホルダー７１と、電池９から駆動部４２への給電とその停止とを切り替える切替部７２とを備える。【選択図】図１
2014114678.tif 000002
【特許請求の範囲】
【請求項１】
ボウル部を有する便器本体と、この便器本体の外部に設ける電池内蔵型の遠隔操作機器とを備え、前記便器本体が前記遠隔操作機器からの指示に応じて封水状態と排水状態とを切り替える便器装置であって、
前記便器本体は、その内部に設ける内部機器として、前記封水状態と前記排水状態とに切り替えるトラップ部と、このトラップ部の駆動部に外部電源の電力を供給する第１給電部と、電池が脱着自在でこの電池の装着時においてこの電池の電力を前記駆動部に供給する第２給電部とを備え、
前記第２給電部は、前記電池として前記遠隔操作機器の電池又はこの電池と同形の電池が脱着自在なホルダーと、前記電池の装着時においてこの電池から前記駆動部への給電とその停止とを切り替える切替部とを備えるものであることを特徴とする便器装置。
【請求項２】
前記内部機器として、前記ボウル部に水を供給する給水経路と、この給水経路の通水・止水を切り替える給水弁とを備え、
前記第２給電部は、前記給水弁にも給電するものであることを特徴とする請求項１記載の便器装置。
【請求項３】
前記内部機器として、前記駆動部の駆動を制御する制御部を備え、
前記第２給電部は、前記制御部にも給電するものであることを特徴とする請求項１または２記載の便器装置。
【請求項４】
前記内部機器として、前記ホルダーに装着された前記電池の電力量を検知する検知部を備え、
前記制御部は、前記検知部で検知された前記電力量が閾値以下の場合に、前記排水状態に保持する時間を、前記電力量が前記閾値を超過する場合に比べて、短くする制限を行うものであることを特徴とする請求項３記載の便器装置。
【発明の詳細な説明】
【技術分野】
【０００１】
本発明は、遠隔操作機器からの指示に応じて封水状態と排水状態とを切り換える便器装置に関する。
【背景技術】
【０００２】
特許文献１には、モータの駆動によって、トラップ筒を回動させて、ボウル部内を、封水状態と排水状態とを切り替える便器装置が開示されている。この便器装置では、停電等での外部電源からの給電停止時用に、トラップ筒を手動で回動させるハンドルが設けてある。
【先行技術文献】
【特許文献】
【０００３】
【特許文献１】特開２００９−２６３９９４公報
【発明の概要】
【発明が解決しようとする課題】
【０００４】
ところで、特許文献１等の便器装置では、外部電源の停止時（停電時）に、ハンドルを介した手動操作によって、トラップ筒を回動させて、封水状態と排水状態とを切り替える。このとき、トラップ筒は、便器本体の外殻に覆われているため、その姿（姿勢）を利用者が視認することが困難である。そして、従来の便器装置では、前記ハンドルがボウル部より後方の部位の側面に設けてあるため、利用者が前記ハンドルを視認しながら回すことが難しく、規定の操作量（回転量）で操作することが困難である。このため、従来の便器装置は、前記操作量に過剰や不十分を生じ易く、これによってトラップ筒や駆動部に支障をきたしたり、排水状態や封水状態の規定の位置（駆動部での駆動時の位置）に位置せずに、排水や貯水（封水）に支障をきたしたり等する恐れがある。また、従来の便器装置では、過剰や不十分等で前記操作量にムラを生じ易いため、例えば停電が長引いた際等に、この操作量のムラの蓄積等によって、前記規定の位置への配置（回動）が更に困難になる恐れがある。このように、従来の便器装置では、前記停電時において、利用者の使い勝手があまり良くないという問題がある。
【０００５】
そこで、前記事情を鑑みて、本発明は、前記停電時において、使い勝手の良い便器装置を提案することを課題とする。
【課題を解決するための手段】
【０００６】
前記課題を解決するために本発明は、ボウル部を有する便器本体と、この便器本体の外部に設ける電池内蔵型の遠隔操作機器とを備え、前記便器本体が前記遠隔操作機器からの指示に応じて封水状態と排水状態とを切り替える便器装置であって、前記便器本体は、その内部に設ける内部機器として、前記封水状態と前記排水状態とに切り替えるトラップ部と、このトラップ部の駆動部に外部電源の電力を供給する第１給電部と、電池が脱着自在でこの電池の装着時においてこの電池の電力を前記駆動部に供給する第２給電部とを備え、前記第２給電部は、前記電池として前記遠隔操作機器の電池又はこの電池と同形の電池が脱着自在なホルダーと、前記電池の装着時においてこの電池から前記駆動部への給電とその停止とを切り替える切替部とを備えるものであることを特徴とする。
【０００７】
また、前記内部機器として、前記ボウル部に水を供給する給水経路と、この給水経路の通水・止水を切り替える給水弁とを備え、前記第２給電部は、前記給水弁にも給電するものであることが好ましい。
【０００８】
また、前記内部機器として、前記駆動部の駆動を制御する制御部を備え、前記第２給電部は、前記制御部にも給電するものであることが好ましい。
【０００９】
また、前記内部機器として、前記ホルダーに装着された前記電池の電力量を検知する検知部を備え、前記制御部は、前記検知部で検知された前記電力量が閾値以下の場合に、前記排水状態に保持する時間を、前記電力量が前記閾値を超過する場合に比べて、短くする制限を行うものであることが好ましい。
【発明の効果】
【００１０】
本発明は、第２給電部を備えたことで、例えば、外部電源の停止時（停電時）等に、第２給電部に電池を装着させて、この電池の電力を用いて、トラップ部の駆動部を駆動させることができる。このため、本発明は、前記停電時にあっても、駆動部を駆動させて、封水状態と排水状態とを切り替えることができる。そして、本発明は、第２給電部の電池として、遠隔操作機器の電池を用いることができる。このため、本発明は、遠隔操作機器の電池をホルダーに取り付けることで、例えば、前記停電時等に、便器装置を設置したトイレルームから利用者が出なくても、第２給電部で駆動部を駆動可能な状態にすることができる。このように、本発明は、停電時等における便器装置の使い勝手を良くし易くすることができる。
【図面の簡単な説明】
【００１１】
【図１】実施形態の便器装置の回路図である。
【図２】（ａ）は便器本体の上カバー閉成状態の斜視図であり、（ｂ）は上カバー開成状態における箱体の天面部周辺の拡大図である。
【図３】便器本体の一部を簡略化した断面図である。
【図４】変形例の便器装置の回路図である。
【発明を実施するための形態】
【００１２】
以下、本発明を添付図面に基づいて説明する。本実施形態の便器装置は、使用者が着座して使用する椅子型の便器、所謂洋式便器である。便器装置は、図３に示すように、ボウル部１１を有した便器本体１と、ボウル部１１の上方に載置可能な便座１２及び便蓋１３と、便器本体１外部に設けた外部機器８とを備える。便器本体１は、例えばトイレルーム等の床面に固定される。また、便座１２及び便蓋１３は、便器本体１上の一端部に枢支される。
【００１３】
以下、前後方向は、利用者が便器装置に着座した状態から見た方向で定義する。すなわち、以下の説明では、便器本体１において、便座１２や便蓋１３を連結した部分（便器本体１上の前記一端部）から、ボウル部１１側に向かう方向を、前方として定義する。そして、以下の説明では、便器本体１において、ボウル部１１から、前記便座１２や便蓋１３を連結した部分（便器本体１上の前記一端部）側に向かう方向を、後方として定義する。
【００１４】
便器本体１は、ボウル部１１を有する外殻２と、床面に載置・固定されるフレーム１４と、外殻２より内側（便器本体１内部）に設けられた内部機器３とを備える。フレーム１４には、外殻２が取り付けられる。このため、外殻２は、フレーム１４を介して床面に支持される。そして、外殻２は、図２や図３に示すように、その前部を形成する前パーツ２ａと、外殻２の後部を形成する後パーツ２ｂとを備える。言い換えると、便器本体１は、その前部の外殻２が前パーツ２ａで形成され、前部より後方に位置する後部の外殻２が後パーツ２ｂで形成される。
【００１５】
前パーツ２ａは、ボウル部１１と、ボウル部１１の上方に配置されるリム部２１と、ボウル部１１及びリム部２１の外周を覆うスカートとで形成される。ボウル部１１は、上方に開口した椀状となっている。ボウル部１１の底部には、筒部１１ａが形成されている。筒部１１ａは、ボウル部１１の底部から後外方に突出しており、後方に開口する。ボウル部１１の開口縁（上端縁）には、リム部２１が一体に設けてある。リム部２１は、その前部上面が、便座１２を載置するための便座載置面となっている。スカート部２２は、リム部２１及びボウル部１１の外側に配置される。そして、スカート部２２は、ボウル部１１を囲むようにして設けてある。このため、スカート部２２は、便器本体１の前側の側壁となっている。
【００１６】
後パーツ２ｂは、内部機器３を覆っている。言い換えると、内部機器３は、便器本体１内部において、後パーツ２ｂで外殻２の形成された前記後部側に配置される。そして、後パーツ２ｂは、内部機器３の側方（左右）を夫々覆う二つのサイドカバー２４と、内部機器３の後方を覆う後カバー２５と、内部機器３の上方を覆う箱体２７と、箱体２７の天面部２７ａを覆う開閉自在の上カバー２６とで形成される。そして、便器本体１の後部側の内部（後パーツ２ｂで囲まれた空間）には、図３に示すように、仕切り板１５が設けてあり、この後部側の内部（前記空間）は、仕切り板１５によって、上方空間と下方空間とに区画される。この上方空間は、仕切り板１５の上面側の空間であり、例えば、仕切り板１５と箱体２７とで囲まれた空間となっている。下方空間は、仕切り板１５の下面側の空間であり、例えば、仕切り板１５とサイドカバー２４と後カバー２５とで囲まれた空間となっている。
【００１７】
各サイドカバー２４は、スカート部２２の後方に設けてあり、スカート部２２の後端に連続して取り付けられる。このため、外殻２の各側面は、サイドカバー２４及びスカート部２２で夫々形成される。そして、各サイドカバー２４は、脱着自在となっており、取り外すことで、一部の内部機器３を露出させることができる。後カバー２５は、両サイドカバー２４の後端の間に亘って設けてあり、外殻２の背面を形成する。
【００１８】
箱体２７は、下方に開口した矩形の箱状となっている。そして、箱体２７の両側面部の下端は、サイドカバー２４に当接され、箱体２７の前面部の下端は、リム部２１の後端上部に当接され、箱体２７の後面部の下端は、後カバー２５の上端に当接される。このため、内部機器３のうち、箱体２７内部に配置された一部機器は、ボウル部１１や前記便座載置面に比べて、後方で且つ上方に位置する。
【００１９】
更に、箱体２７は、上方を閉塞した天面部２７ａを有しており、天面部２７ａは、その上面が上カバー２６によって覆われる。上カバー２６は、例えば板状に形成されており、後端が天面部２７ａの後端に回動自在で取り付けてある。このため、上カバー２６は、前記後端を支点として上下に回動させることで、図２に示すように、天面部２７ａ（その上面）を覆う閉成状態と、天面部２７ａ（その上面）を開放する開成状態とに切り替わる。
【００２０】
また、便器装置は、図３に示すように、内部機器３として、ボウル部１１に水を供給する給水経路３１と、ボウル部１１内の水を排出する排水経路３４と、電装機器３３とを備える。給水経路３１は、例えば、前記下方空間の上部と前記上方空間とに亘って配置される。排水経路３４は、例えば、前記下方空間に配置されており、給水経路３１より下方に位置する。電装機器３３は、例えば、前記上方空間に配置される。
【００２１】
給水経路３１の上流端は、便器本体１（サイドカバー２４後部或いは後カバー２５）から外方に突出する。そして、この上流端は、外部の水道管（図示せず）に接続してあり、水道圧によって、この水道管から給水経路３１に前記水が流入される。給水経路３１の下流端は、ボウル部１１の上端部に配置してあり、ボウル部１１内に臨ませて設けてある。そして、この下流端は、水道管から給水経路３１に流入した水を、ボウル部１１内に吐出する。このため、給水経路３１の前記下流端は、ボウル部１１洗浄用の吐出口３１ａになっている。
【００２２】
更に、給水経路３１の途中には、給水経路３１を開閉する給水弁３２が設けてある。給水経路３１は、給水弁３２を開成させることで、通水状態になり、給水弁３２を閉成させることで、止水状態になる。言い換えると、給水経路３１は、給水弁３２の開閉によって、ボウル部１１への吐水とその停止とが切り替わる。そして、給水弁３２の開閉の切替は、内部機器３の一つである制御部５１（詳細は後述する）によって、制御される。
【００２３】
排水経路３４は、筒部１１ａの下流端に設けたトラップ部４と、外部の排水管（図示せず）に接続された排出部（図示せず）とを備える。そして、排水経路３４は、ボウル部１１の水等を、筒部１１ａからトラップ部４を介して前記排出部に流し、この排出部から前記排水管に排出する。
【００２４】
トラップ部４は、図３に示すように、弾性変形可能なトラップ筒４１と、トラップ筒４１の後方側の部位を収納したトラップ室（不図示）と、トラップ筒４１の後方側の先端を上下に回動（上下動）させる駆動部４２（図１参照）とを備える。
【００２５】
トラップ筒４１は、その前方側の先端が筒部１１ａに連通接続される。また、トラップ筒４１は、その後方側の先端が駆動部４２によって上下動されることで、前記後方側の先端を上方に向けた姿勢と、前記後方側の先端を下方或いは後下方に向けた姿勢とに切り替わる。
【００２６】
そして、トラップ筒４１は、前記後方側の先端を上方に向けた姿勢となることで、トラップ部４にトラップ構造を形成する。これによって、便器装置は、給水経路３１からの水やバケツ等で外部から利用者が持ち込んだ水等をボウル部１１に貯留可能な封水状態となる。そして、便器装置は、この封水状態において、ボウル部１１に水を貯留することで、前記排出部側の臭い等のボウル部１１側への流入を抑制することができる。
【００２７】
また、トラップ筒４１は、前記後方側の先端を下方或いは後下方に向けた姿勢となることで、この後方側の先端が排出部に連通する。これによって、便器装置は、ボウル部１１の水（封水）を例えば汚物等と共に排出部に排出可能な排水状態となる。
【００２８】
すなわち、トラップ部４は、トラップ筒４１の上下動によって、封水状態（図３に示す状態）と排水状態とに切替可能な所謂回動式（ターントラップ方式）のトラップ装置となっている。以下の説明では、トラップ筒４１において、前記封水状態となる姿勢を、封水姿勢とし、前記排水状態となる姿勢を、排水姿勢とする。
【００２９】
駆動部４２は、その駆動が制御部５１によって、制御される。言い換えると、トラップ部４は、制御部５１によって封水状態と排水状態との切替（トラップ筒４１の上下動）が制御される。
【００３０】
例えば、駆動部４２は、駆動時に、位置検知信号を制御部５１に出力しており、この位置検知信号は、例えば、トラップ筒４１の前記後方側の先端の上下における位置情報となっている。このため、制御部５１は、この位置検知信号に応じて、駆動部４２の回動やその停止、或いは回動方向の切替等の制御を行うことで、トラップ筒４１に封水姿勢と排水姿勢とを切替させる。
【００３１】
また、トラップ部４は、前記トラップ室の外側面に、所謂手動回動用のハンドル（図示せず）が設けてある。トラップ部４は、前記ハンドルを回転させることで、駆動部４２を駆動させなくても、トラップ筒４１を上下動させることができる。そして、前記ハンドルは、サイドカバー２４を外すことで、露出させることができて、この状態で回転操作が可能となる。
【００３２】
便器装置は、図１に示すように、電装機器３３として、給水弁３２や駆動部４２を制御する制御部５１と、制御部５１及び駆動部４２の電源となる給電部５３と、給電部５３の電力を制御部５１及び駆動部４２に送電する第１送電部５２とを備える。そして、便器装置は、給電部５３として、商用電源等の外部電源６４と電気的に接続することで給電部５３として機能する第１給電部６と、第１給電部６（外部電源６４）の代りに駆動部４２の電源として利用可能な第２給電部７（詳細は後述する）とを備える。
【００３３】
第１給電部６は、外部電源６４と電気的に接続可能な接続部６１と、接続部６１を介して外部電源６４の電力を第１送電部５２に送電する第２送電部６３とを備える。第２送電部６３には、第１回路部６２が設けてある。第１回路部６２は、例えば、外部電源６４（商用電源）からの交流の電力を直流の電力に変換する変換部を有しており、この変換部は、例えば、スイッチング回路やトランス等となっている。そして、この変換部で変換等された（第１回路部６２を介した）前記電力は、第２送電部６３から第１送電部５２を介して、制御部５１及び駆動部４２に供給される。
【００３４】
このため、第１給電部６は、直流の電力を制御部５１及び駆動部４２に供給する。更に、第１給電部６は、第２送電部６３を介して、前記直流の電力を給水弁３２に供給しており、この電力によって給水弁３２が開閉駆動する。なお、第１回路部６２は、前記変換部のみに限らず、整流部等を有してもよい。
【００３５】
また、第１給電部６は、接続部６１と外部電源６４との電気的な接続を切る（解除する）ことで、外部電源６４から第１送電部５２（制御部５１、駆動部４２）及び給水弁３２への給電を停止することができる。
【００３６】
外部機器８は、便器本体１の外部に設けてあり、例えば便器本体１を設けたトイレルームの壁面等に取り付けられる。そして、外部機器８は、内部機器３と電源が異なる機器となっている。この電源は、電池９で形成されており、電池９は、例えば、乾電池となっている。
【００３７】
詳しくは、外部機器８が、電池９を脱着自在で収納する収納部８１と、収納部８１に収納した電池９からの電力によって作動する作動部８２とを有する。このため、外部機器８は、電源内蔵型の機器となっている。
【００３８】
例えば、外部機器８は、電池内蔵型の遠隔操作機器８ａとなっている。遠隔操作機器８ａは、作動部８２として、前記排水動作を行わせるための操作部８２ａと、操作部８２ａでの操作結果を制御部５１に伝達する通信部８２ｂとを有する。操作部８２ａ及び通信部８２ｂは、収納部８１の電池９を前記電源として作動する。
【００３９】
操作部８２ａは、利用者に操作されることで、前記排水動作を行わせる指令等の操作結果を、通信部８２ｂに出力する。通信部８２ｂは、前記操作結果（例えば指令信号）を、無線通信や有線通信等で、制御部５１に出力する。これによって、制御部５１は、前記操作結果に基づき、前記排水動作や、駆動部４２の駆動の開始や、給水弁３２の開閉等の制御を行う。
【００４０】
第２給電部７は、電池９が脱着自在なホルダー７１と、ホルダー７１に電池９を装着させた際に電池９から第１送電部５２に送電する第３送電部７６とを備える。第３送電部７６には、ホルダー７１に装着された電池９から第１送電部５２への送電のオン・オフを切り替える切替部７２と、前記装着された電池９の電力量を検知する検知部７４と、第２回路部７３とが設けてある。
【００４１】
切替部７２は、切替操作部（図示せず）を操作することで、前記送電のオン・オフを切り替える。言い換えると、切替部７２は、第３送電部７６の通電とその停止とを切り替える。前記切替操作部は、例えば、天面部２７ａに設けてあり、前記切替操作部は、上カバー２６で天面部２７ａを覆うことで、隠蔽可能となっている。
【００４２】
第２回路部７３及び検知部７４は、第３送電部７６において、切替部７２と第１送電部５２との間に設けてある。このため、第２回路部７３及び検知部７４は、切替部７２によって送電がオンの状態（第３送電部７６を前記通電とした状態）で、前記装着された電池９からの電力が印可される。そして、第２回路部７３及び検知部７４は、切替部７２によって送電がオフの状態（第３送電部７６を前記停止とした状態）で、前記装着された電池９からの電力が印可されない。このため、便器装置は、前記送電がオフの状態において、第２回路部７３や検知部７４による前記装着された電池９の電力消費（この電池９の消耗）を抑制することができる。
【００４３】
検知部７４は、例えば、前記電力量として、電池９の電圧（電池電圧）を検知する。すなわち、検知部７４は、例えば、前述の通り、前記送電がオンの状態（前記通電とした状態）でのみ、前記電池電圧を検知する。そして、検知部７４の検知結果（検知した電池電圧）は、例えば電圧検知信号として、制御部５１に入力されており、この電圧検知信号は、前記検知結果（電池電圧の値）に応じて変動する。
【００４４】
第２回路部７３は、第３送電部７６において、検知部７４より第１送電部５２側に設けてある。第２回路部７３は、例えば、昇圧部を有する。そして、この昇圧部で昇圧等された（第２回路部７３を介した）前記電力は、第３送電部７６から第１送電部５２を介して、制御部５１及び駆動部４２に供給される。
【００４５】
ホルダー７１は、電池９を保持する保持部７５と、導電部７７とを備える。導電部７７は、保持部７５に保持された電池９と第３送電部７６とを電気的に接続する。
【００４６】
保持部７５は、例えば、天面を有した矩形の箱状に形成される。保持部７５は、箱内に電池９を取り付けることで、電池９を脱着自在で保持する。そして、保持部７５は、電池９を保持した状態において、電池９の上方を天面で覆う。更に、保持部７５は、天面部２７ａに脱着自在で取り付けられる。このため、箱体２７は、保持部７５（ホルダー７１）取付用の凹部２８を天面部２７ａに有する。凹部２８は、上方に開口した矩形状で、下方に凹んで形成される。
【００４７】
そして、保持部７５の前端部には、天面部２７ａに嵌め込む嵌め込み部７５ａが設けてあり、凹部２８の前端縁には、嵌め込み部７５ａを嵌め込む被嵌め込み部２８ａが設けてある。このため、ホルダー７１は、嵌め込み部７５ａを被嵌め込み部２８ａに嵌め込むことで、保持部７５を凹部２８に取り付けることができる。そして、ホルダー７１は、この取り付けた状態から嵌め込み部７５ａを被嵌め込み部２８ａから外すことで、保持部７５を凹部２８から取り出すことができる。すなわち、保持部７５は、嵌め込み部７５ａと被嵌め込み部２８ａとの嵌り合いによって、凹部２８に対して脱着自在となっている。言い換えると、電池９は、ホルダー７１を介して、凹部２８（便器本体１）に脱着自在となっている。また、保持部７５は、天面部２７ａ（凹部２８）に水密状態で取り付けられることが好ましい。
【００４８】
なお、保持部７５は、便器本体１に固定して設けてもよい。この場合、保持部７５は、電池９を脱着自在で取り付けるための取付口を、例えば上面等に有する。このため、保持部７５は、この取付口を覆い電池９を保護する保護カバーを脱着自在で更に備え、この保護カバーを取り外すことで、電池９の脱着が可能となる。そして、前記保護カバーは、前記取付口に水密状態で取り付けられる（覆う）ことが好ましい。
【００４９】
また、保持部７５で保持される（保持部７５に装着される）電池９は、例えば、所謂乾電池となっている。このため、第２給電部７は、ホルダー７１に電池９を脱着自在で装着させる（取り付ける）ことで、この装着された電池９を電源として、直流の電力を制御部５１及び駆動部４２に供給する。
【００５０】
そして、前記装着される電池９は、外部機器８の電池９（収納部８１の電池９）と同形となっている。言い換えると、保持部７５には、外部機器８の電池９と、これと同形の電池９とのいずれかを選択して装着可能（選択的に取り付け可能）となっている。以下、外部機器８の電池９を、第１の電池９１とし、これと同形の電池９を、第２の電池９２とする。
【００５１】
このように、第１の電池９１と第２の電池９２とは、互いに同形となっている。言い換えると、第１の電池９１と第２の電池９２とは、互いに入れ替えて取付可能な形状となっている。このため、収納部８１は、第１の電池９１の代りに、第２の電池９２を取り付け可能となっており、ホルダー７１は、第２の電池９２の代りに、第１の電池９１を取り付け可能となっている。言い換えると、収納部８１とホルダー７１とは夫々、同形の電池９が取り付けられており、互いの電池９を入れ替え可能となっている。なお、第２給電部７と外部機器８は、取り付けて利用可能な電池９の定格電圧が同じ、或いはこの定格電圧の許容範囲が同じであることが好ましい。この場合、第１の電池９１及び第２の電池９２は各々、同じ定格電圧、或いは前記許容範囲に収まる定格電圧となる。
【００５２】
また、便器装置は、第２給電部７用の排水操作部（図示せず）を備える。この排水操作部は、例えば、箱体２７の天面部２７ａに設けてある。更に、前記排水操作部は、第２給電部７の電力を制御部５１及び駆動部４２に送電する場合に利用することができる。
【００５３】
この排水操作部は、利用者に操作されることで、トラップ部４に排水動作を行わせる指令（例えば指令信号）を制御部５１に出力する。この排水動作とは、封水姿勢のトラップ筒４１を排水姿勢に切り替えさせた後、封水姿勢に戻させる動作となっている。言い換えると、前記排水動作は、封水状態から排水状態に切り替えた後、封水姿勢に切り替える動作となっている。なお、第２給電部７は、制御部５１に給電しないものであってもよい。この場合、前記排水操作部は、例えば、制御部５１を介さずに、直接駆動部４２を制御して前記排水動作を行わせるものとなる。言い換えると、前記排水操作部は、トラップ部４に排水動作を行わせる指令を駆動部４２に出力することで、駆動部４２を駆動させる。
【００５４】
ここで、前記排水動作の一例を説明する。この排水動作は、駆動部４２及び制御部５１に第１給電部６からの電力が供給される場合と、駆動部４２及び制御部５１に第２給電部７からの電力が供給される場合とで一部が異なる。以下の説明では、前記第１給電部６からの電力が供給される場合を、第１給電の場合とし、前記第２給電部７からの電力が供給される場合を、第２給電の場合とする。
【００５５】
まずは、第１給電の場合を説明する。なお、この場合、第２給電部７は、切替部７２によって、第１送電部５２への送電が停止された状態（前記送電がオフの状態）となっている。言い換えると、第１給電の場合では、駆動部４２及び制御部５１に第２給電部７から電力が供給されない状態となっている。
【００５６】
制御部５１は、封水状態において、遠隔操作機器８ａから排水動作を行うよう指令信号が入力されると、駆動部４２を駆動させる制御を行う。駆動部４２は、この制御によって、トラップ筒４１を下方に回動させて、トラップ筒４１を排水姿勢に切り替える。これによって、便器装置は、排水状態となり、ボウル部１１の水（貯水）等が前記排出部に排出される。また、制御部５１は、給水弁３２を開成させる制御を行う。給水弁３２は、この制御によって、給水経路３１を止水状態から通水状態に切り替える（給水経路３１の通水を開始する）。このため、便器装置は、ボウル部１１に給水経路３１から水が供給されて、前記排出部に排出される。これによって、便器装置は、排水状態の際に前記排出部からの臭気の上昇（ボウル部１１側への流入）を抑制することができる。
【００５７】
そして、制御部５１は、この排水状態を一定時間保持して、ボウル部１１の水を排出させた後（排水状態に切り替わって一定時間経過後）、駆動部４２を駆動させる制御を行う。駆動部４２は、この制御によって、トラップ筒４１を上方に回動させて、トラップ筒４１を封水姿勢に切り替える。これによって、便器装置は、封水状態となり（封水状態に戻り）、ボウル部１１に水が貯留される。言い換えると、制御部５１は、排水状態に保持する保持時間が一定時間（第１保持時間）に達すると、駆動部４２によってトラップ筒４１を回動させて、便器装置を封水状態に戻す。
【００５８】
更に、制御部５１は、例えば給水弁３２の開成時間や給水経路３１の通水量等の条件値が設定値に達すると、給水弁３２を閉成させる制御を行う。給水弁３２は、この制御によって、給水経路３１を止水状態に切り替える（給水経路３１の通水を停止する）。これによって、便器装置は、前記設定値に応じた一定量の水がボウル部１１に貯留される。なお、制御部５１は、この第１給電の場合の制御中に、第１給電部６からの給電が停止されて第２給電部７から給電されると、後述の第２給電の場合の制御に切り替わる。
【００５９】
このように、便器装置は、制御部５１が駆動部４２を制御することで、利用者が手で前記ハンドルを回さなくも、封水状態と排水状態とを切り替えることができる。そして、便器装置は、制御部５１が給水弁３２を制御することで、封水状態において、利用者がバケツ等でボウル部１１に水を供給しなくても、ボウル部１１に水を貯留することができる。
【００６０】
次に、第２給電の場合を説明する。なお、この場合、第１給電部６は、外部電源６４から接続部６１に電力が供給されていない状態（接続部６１と外部電源６４との電気的な接続を解除した状態を含む）となっている。言い換えると、第２給電の場合とは、駆動部４２及び制御部５１及び給水弁３２に第１給電部６から電力が供給されない状態となっている。
【００６１】
制御部５１による制御は、第２給電の場合、第２給電部７の電力量（検知部７４からの検知結果）が閾値を超える場合（閾値超過の場合）と、この検知結果が閾値以下（閾値を含む）の場合（閾値以下の場合）とで内容が異なる。
【００６２】
まず、閾値超過の場合を説明する。この場合、制御部５１は、封水状態において、前記排水操作部から排水動作を行わせる指令が入力されると、駆動部４２を駆動させる制御を行う。駆動部４２は、この制御によって、トラップ筒４１を下方に回動させて、トラップ筒４１を排水姿勢に切り替える。これによって、便器装置は、排水状態となり、ボウル部１１の水（貯水）等が前記排出部に排出される。
【００６３】
そして、制御部５１は、第１給電の場合と同様に、排水状態を一定時間保持して、ボウル部１１の水を排出させた後、駆動部４２を駆動させる制御を行う。駆動部４２は、この制御によって、トラップ筒４１を上方に回動させて、トラップ筒４１を封水姿勢に切り替える。これによって、便器装置は、封水状態に戻り、ボウル部１１に水を貯留可能となる。そして、閾値超過の場合では、前記排水状態に保持する時間（保持時間）が、前記第１給電の場合の前記保持時間（第１保持時間）と同じ時間となっている。なお、制御部５１は、閾値超過の場合の制御中に、検知結果が閾値以下になると、後述の閾値以下の場合の制御に切り替わり、第１給電部６から給電されると、前述の第１給電の場合の制御に切り替わる。
【００６４】
閾値以下の場合、制御部５１は、制限制御を行う。この制限制御は、排水状態に保持する保持時間を、前述の第１給電の場合や検知結果が閾値を超過する第２給電の場合に比べて、短くする制御となっている。言い換えると、前記制限制御では、排水状態において、その保持時間が、第１保持時間に比べて短い第２保持時間に達すると、封水状態への切替動作を開始する。
【００６５】
そして、閾値以下となる時期が、排水状態において第２保持時間経過前の場合（トラップ筒４１が下方に回動中の場合を含む）と、排水状態で第２保持時間経過後の場合（経過時の場合を含む）とで、前記制限制御は、その内容が一部異なる。なお、制御部５１は、前記制限制御中に、検知結果が閾値を超過すると、前述の閾値超過の場合の制御に切り替わり、第１給電部６から給電されると、前述の第１給電の場合の制御に切り替わる。
【００６６】
まず、前記閾値以下となる時期が前記第２保持時間経過前の場合、制御部５１は、排水状態における経過時間が第２保持時間に達すると、駆動部４２を駆動させて、封水状態に切り替える制御を行う。そして、前記閾値以下となる時期が第２保持時間経過後の場合、制御部５１は、直ちに（前記第１保持時間の経過を待たずに）、駆動部４２を駆動させて、封水状態に切り替える制御を行う。なお、第２給電の場合において、第２給電部７が制御部５１に給電しないものでは、前記排水操作部が直接駆動部４２を駆動させる点や閾値以下の場合の動作を行わない点を除き、駆動部４２に前述の閾値超過の場合と略同様の駆動を行わせるため、説明は省略する。
【００６７】
このように、便器装置は、駆動部４２に給電可能な第２給電部７を備えることで、第２給電の場合においても、第２給電部７（ホルダー７１）に装着された電池９の電力によって駆動部４２を駆動させて、封水状態と排水状態とを切り替えることができる。このため、便器装置は、例えば、停電時や第１給電部６の故障時等の第１給電部６から給電できない場合（第２給電の場合）において、利用者が前記ハンドルを回さなくも、第２給電部７からの電力を用いて、封水状態と排水状態とを切り替えることができる。これによって、便器装置は、停電時等における使い勝手を良くし易くすることができる。
【００６８】
そして、便器装置は、第２給電部７が、駆動部４２の他に、制御部５１にも給電することで、第２給電の場合においても、制御部５１で駆動部４２を制御して、封水状態と排水状態とを切り替えることができる。このため、便器装置は、例えば、停電時等の第１給電部６からの給電が停止した場合において、利用者が前記ハンドルを回さなくも、第１給電の場合と同様に、駆動部４２の駆動を制御して、封水状態と排水状態とを切り替えることができる。これによって、便器装置は、停電時等における使い勝手を良くし易くすることができる。
【００６９】
更に、便器装置は、第２給電部７の電池９として、遠隔操作機器８ａの電池９（第１の電池９１）を用いることができる。このため、便器装置は、第１の電池９１を遠隔操作機器８ａから取り外して、第１の電池９１をホルダー７１に取り付けることで、第２給電部７から駆動部４２に給電可能な状態（第２給電部７で駆動部４２を駆動可能な状態）にすることができる。言い換えると、第２給電部７は、予め電池９を装着させていない状態であっても、停電時に、保持部９に装着させる電池９として、第１の電池９１を用いることができる。これによって、便器装置は、例えば、停電時等に、便器装置を設置したトイレルームから利用者が出なくても、第２給電部７で駆動部４２を駆動させることができて、停電時等における使い勝手を良くし易くすることができる。そして、第２給電部７は、第１の電池９１を装着可能としたことで、第１給電部６から駆動部４２等に給電可能な状態において、保持部７５に電池９を取り付けていない状態（前記予め電池９を装着させていない状態）であってもよい。
【００７０】
また、便器装置は、例えば、予め第２の電池９２をホルダー７１に装着させておいてもよい。この場合では、停電時に第１の電池９２を取り外さなくても、前記切替操作部を操作することで、容易に第２給電部７から給電する状態に切り替えることができる。そして、便器装置は、この状態で停電が長引く等で、第２の電池９２が消耗した際に、第１の電池９１に交換することで、前記トイレルームから出なくても、第２給電部７を駆動させることができる。これによって、便器装置は、例えば、停電時が長引いた際にあっても、第２給電部７で駆動部４２を駆動させることができて、停電時等における使い勝手を良くし易くすることができる。
【００７１】
更に、外部機器８（外部操作機器８ａ）は、第１の電池９１の代りに第２の電池９２を取り付けることができる。このため、第１給電の場合では、予めホルダー７１に第２の電池９２を装着させた状態において、外部機器８の第１の電池９１が消耗した際に、第２の電池９２を取り外して、これを外部機器８に取り付けることができる。これによって、便器装置は、第１給電の場合において、外部機器８の電池９の消耗時に、前記トイレルームから出なくても、外部機器８の作動部８２を作動可能な状態にすることができる。
【００７２】
ところで、前述の通り、電池９は、外部電源６４と異なり、駆動部４２、制御部５１や、外部機器８等を作動させることで、消耗する（電力量が低下する）。そして、前記装着された電池９の電力量が低下した場合では、この電力量の低下によって、駆動部４２が駆動し難くなり、排水状態で停止したり回動途中で停止したりして、封水状態に復帰しなくなる（し難くなる）ことがある。この場合では、トラップ筒４１やボウル部１１に貯水し難くなるため、所謂封水切れを生じて、前記排出部側の臭い等がボウル部１１側に流出し易くなる。
【００７３】
これに対して、本例の便器装置では、前記装着された電池９の電力量が低下した際である閾値以下の場合に、前記制限制御を行うため、電力量の低下で封水状態へ復帰し難くなることを抑制することができる。このため、便器装置は、閾値以下の場合に、封水状態を確保し易くする（封水切れを生じ難くする）ことができて、前記封水切れに伴う排出部側の臭い等のボウル部１１側への流出を抑制することができる。これによって、便器装置は、停電時等における使い勝手を良くし易くすることができる。
【００７４】
なお、制御部５１は、前記制限制御によって封水状態に切替後（封水状態や封水状態に切り替わる際に閾値以下となった場合を含む）、所定の解除条件を満たすまで封水状態に保持する保持制御を行うことが好ましい。この保持制御では、制御部５１に前記排水操作部から前記排水動作を行わせる指令が入力されても、駆動部４２を駆動させる制御を行わない制御となっている。そして、前記解除条件は、例えば、保持制御中に第１給電部６から駆動部４２等に給電される場合や、電池９が新たな電池９に交換されて検知結果が閾値を超過する場合等となっている。
【００７５】
このように、便器装置は、制御部５１で保持制御を行うことで、封水姿勢と排水姿勢との間の姿勢（切替途中の姿勢）でのトラップ筒４１の停止を抑制することができる。このため、便器装置は、第２給電部７での駆動部４２の駆動が困難な状態になった際に、トラップ筒４１の姿勢を規定することができる。言い換えると、便器装置は、前記保持制御によって、第２給電部７での駆動部４２の駆動が困難となった際において、視認できないトラップ筒４１を所定の姿勢（封水姿勢）に規定することができる。
【００７６】
このため、便器装置は、第２給電部７での駆動部４２の駆動が困難となり、前記ハンドルによってトラップ筒４１を回動させる際に、このハンドルの回転方向や回転量等の操作条件を一定条件に規定し易くすることができる。これによって、利用者は、トラップ筒４１の停止した姿勢位置の差に伴う操作条件の違いを生じ難くすることができて、この違いによる過剰操作や操作不足等を生じ難くすることができる。
【００７７】
また、図４に示す変形例では、第２給電部７が、駆動部４２や制御部５１の他に、給水弁３２にも電力を供給するものとなっている。この例では、第１送電部５２に給水弁３２が電気的に接続してある。このため、第２給電部７からの電力は、第３送電部７６から第１送電部５２を介して、給水弁３２に供給することができる。これによって、第２給電の場合、第２給電部７が、駆動部４２と制御部５１と給水弁３２とに電力を供給する。なお、この場合、第１給電部６は、第２送電部６３から第１送電部５２を介して、給水弁３２に供給される。
【００７８】
制御部５１は、前記制限制御において、前記排水操作部から排水動作を行わせる指令が入力されると、給水弁３２を開成させる制御を行う。給水弁３２は、この制御によって、給水経路３１の通水を開始する。これによって、便器装置は、給水経路３１からボウル部１１に水が供給される。そして、制御部５１は、例えば前記条件値が前記設定値に達すると、給水弁３２を閉成させる制御を行う。給水弁３２は、この制御によって、給水経路３１の通水を停止する。これによって、便器装置は、前記設定値に応じた一定量の水がボウル部１１に貯留される。
【００７９】
また、制御部５１は、前記条件値が設定値に達する前に前記検知結果が所定値に達すると、給水弁３２を閉成させる制御を行い、第２給電部７の電力量の低下によって給水弁３２を閉成できなくなることを抑制してもよい。なお、給水弁３２は、給電部５３から給電されないと閉成するものとすることで、前記所定値による判定を行わなくても、開成したままになり難くできて好ましい。
【００８０】
ところで、ボウル部１１に溜める水の前記一定量は、一般的に２リットル程度となっている。このため、利用者は、前記一定量となるまで、一度或いは複数回に分けて水をバケツ等で運搬し、このバケツ等を上方に持ち上げて、ボウル部１１に供給することになる。そして、利用者が高齢者である場合等には、一度に全量を運搬したり持ち上げたりすることが困難であり、また複数回に分けても、その回数分の移動や持ち上げを行うこととなり、利用者への負担が大きくなり易い。
【００８１】
これに対して、本例では、第２給電の場合において、第２給電部７から給水弁３２に電力を供給して、この電力で給水弁３２を開閉駆動させることができる。このため、便器装置は、第２給電の場合の封水状態において、利用者がバケツ等でボウル部１１に水を供給しなくても、ボウル部１１に水を貯留することができる。これによって、便器装置は、停電時等において、前記水の運搬やバケツ等の上げ下ろし等の利用者の負担を軽減し易くすることができて、使い勝手を良くし易くすることができる。
【００８２】
なお、電池９は、一次電池に限らず、二次電池であってもよく、また乾電池に限らず、所謂電池パック等であってもよい。また、本発明は、前述した実施形態の構成のみに限定されるものではなく、本発明の意図する範囲内であれば、適宜の設計変更を行うことが可能である。
【符号の説明】
【００８３】
１  便器本体
１１  ボウル部
２８  凹部
３  内部機器
３１  給水経路
３２  給水弁
４  トラップ部
４１  トラップ筒
４２  駆動部
５１  制御部
５３  給電部
６  第１給電部
６１  接続部
７  第２給電部
７１  ホルダー
７２  切替部
７４  検知部
７５  保持部
８  外部機器
８ａ  遠隔操作機器
８１  収納部
８２  作動部
８２ａ  操作部
９  電池
９１  第１の電池
９２  第２の電池
【図１】
2014114678.tif 000003
【図２】
2014114678.tif 000004
【図３】
2014114678.tif 000005
【図４】
2014114678.tif 000006